(57)【要約】【課題】使用時における操作の煩わしさが解消する中継機器及び中継機器の制御方法を提供する。【解決手段】電力が供給される駆動状態で、ＡＶ信号を送受信するＨＤＭＩ受信部１１３及びＨＤＭＩ送信部１１４を備えるＡＶアンプ１０において、ＨＤＭＩ受信部１１３及びＨＤＭＩ送信部１１４を、駆動状態と、電力が遮断される停止状態とに切り替えるスイッチ１１５を備える。また、ディスプレイ２０又はプレイヤ３０を制御するＣＥＣ信号を受信するＣＥＣ信号処理部１１２を備える。そして、ＨＤＭＩ受信部１１３及びＨＤＭＩ送信部１１４が、停止状態でＣＥＣ信号を受信した場合、スイッチ１１５を制御し、ＨＤＭＩ受信部１１３及びＨＤＭＩ送信部１１４を駆動状態に切り替える。【選択図】図１
2008283469.tif 000002
【特許請求の範囲】
【請求項１】
電力が供給される駆動状態の場合に所定の信号を送受信する送受信手段を備える中継機器において、
前記送受信手段を、前記駆動状態と、前記電力が遮断される停止状態とに切り替える切替手段と、
他の機器を制御する制御信号を受信する受信手段と、
前記送受信手段が前記停止状態であって、前記受信手段が前記制御信号を受信した場合、前記切替手段を制御し、前記送受信手段を前記駆動状態に切り替える切替制御手段と
を備えることを特徴とする中継機器。
【請求項２】
受信した制御信号を解読する解読手段をさらに備え、
前記切替制御手段は、
前記送受信手段が前記駆動状態であって、前記解読手段による解読の結果、前記制御信号が前記他の機器の電源をオフにする信号である場合、前記切替手段を制御して、前記送受信手段を前記停止状態に切り替える構成としてあることを特徴とする請求項１に記載の中継機器。
【請求項３】
前記所定の信号の受信が所定時間中断しているか否かを判定する判定手段をさらに備え、
前記切替制御手段は、
前記判定手段が中断していると判定した場合、前記切替手段を制御して、前記送受信手段を前記停止状態に切り替える構成としてあることを特徴とする請求項１又は２に記載の中継機器。
【請求項４】
前記所定の信号及び前記制御信号は、ＨＤＭＩ（High−Definition Multimedia Interface）を介して送受信されることを特徴とする請求項１乃至３の何れか一つに記載の中継機器。
【請求項５】
電力が供給される駆動状態の場合に、所定の信号を送受信する送受信手段を備え、前記送受信手段を前記電力が遮断された停止状態とした中継機器の制御方法であって、
他の機器を制御する制御信号を受信するステップと、
前記制御信号を受信した場合、前記送受信手段を前記駆動状態に切り替えるステップと
を含むことを特徴とする中継機器の制御方法。
【請求項６】
受信した前記制御信号を解読するステップと、
前記送受信手段が前記駆動状態であって、解読した前記制御信号が前記他の機器の電源をオフにする信号である場合、前記送受信手段を前記停止状態に切り替えるステップと
をさらに含むことを特徴とする請求項５に記載の中継機器の制御方法。
【請求項７】
前記所定の信号の受信が、所定時間中断しているか否かを判定するステップと、
前記送受信手段が前記駆動状態であって、受信が中断していると判定した場合、前記送受信手段を前記停止状態に切り替えるステップと
をさらに含むことを特徴とする請求項５又は６に記載の中継機器の制御方法。
【発明の詳細な説明】
【技術分野】
【０００１】
本発明は、電力が供給された状態と電力が遮断された状態との切り替えを行う中継機器に関する。
【背景技術】
【０００２】
近年普及してきている家庭用のオーディオビデオシステム（以下、ＡＶシステムと言う）は、ディスプレイ、ＤＶＤ（Digital Versatile Disk）プレイヤ（以下、プレイヤと言う）、及びリピータ機器としてのＡＶ（Audio Video）アンプ等から構成される。このリピータ機器とは、接続されるケーブルを流れる信号の処理及び中継を行う機器である。これら各機器は、それぞれに電源を供給する必要がある。また、各機器は、外部からの電源の供給と遮断とを切り替える主電源スイッチと、外部から電源が供給された状態、即ち、主電源スイッチがオンの状態で、内部での電源の供給と遮断とを切り替える副電源スイッチとを有している。そして、各機器は、２つの電源スイッチをオンにすることで動作可能状態になる。また、一般的に、主電源スイッチは、機器本体で操作する必要があるが、副電源スイッチは、各機器専用のリモートコントローラ（以下、リモコンと言う）での操作が可能となっている。このため、使用時の操作性の向上を目的として、各機器を、主電源スイッチをオンにしておき、副電源スイッチをオフにするスタンバイ状態にしている使用者が多くみられる。さらに、各機器をスタンバイ状態にした場合、両方の電源スイッチをオン（アクティブ状態と言う）にした場合との対比において、消費電力を抑えることができる。
【０００３】
また、近年は各機器の接続互換性の問題を解消するために、ＨＤＭＩ（High−Definition Multimedia Interface）が用いられている。ＨＤＭＩは、映像信号及び音声信号の他に、各機器に対して制御信号も送信できるため、ディスプレイからプレイヤを操作するなど、各機器間の連携を容易にすることが可能となる。例えば、特許文献１には、ディスプレイとプレイヤとをＨＤＭＩを介して接続し、プレイヤから出力された映像信号に基づいてディスプレイが再生した映像を、使用者が視聴していない場合に、ディスプレイからプレイヤに対して一時的に映像信号の送信を停止させるようにする制御方法が開示されている。
【特許文献１】特表２００５−５２４９２６号公報
【発明の開示】
【発明が解決しようとする課題】
【０００４】
前記ＡＶシステムは、一般的に、映像信号及び音声信号がＡＶアンプを介してディスプレイとプレイヤとの間を通信するように構成されている。ここにおいて、ＡＶアンプにより信号を制御しない場合、具体的には、アンプに接続されたスピーカからの音声出力を行わない場合であっても、ディスプレイとプレイヤとの間で映像信号及び音声信号が通信されるようにするために、ＡＶアンプの電源をオンにする必要があった。このため、使用者にとっては操作が煩わしく感じてしまう。他方、煩わしさを解消するために電源をオンにし続けた場合、無駄な電力を消費してしまう。この問題を解決する手法は、特許文献１には記載されていない。
【０００５】
本発明は斯かる事情に鑑みてなされたものであり、その目的とするところは、電力供給が遮断された停止状態で他の機器を制御する制御信号を受信した場合に、電力が供給される駆動状態にする構成とすることにより、操作の煩わしさを解消させることができる中継機器及びその制御方法を提供することにある。
【０００６】
また、本発明の他の目的は、受信した制御信号を解読して停止状態にする構成とすることにより、省電力を可能とすることができる中継機器及びその制御方法を提供することにある。
【０００７】
さらに、本発明の他の目的は、受信する所定の信号が中断される時間を判定して停止状態にする構成とすることにより、省電力を可能とすることができる中継機器及びその制御方法を提供することにある。
【０００８】
また、本発明の他の目的は、ＨＤＭＩを用いることにより、機器接続互換性の問題を解消することができる中継機器を提供することにある。
【課題を解決するための手段】
【０００９】
本発明に係る中継機器は、電力が供給される駆動状態の場合に所定の信号を送受信する送受信手段を備える中継機器において、前記送受信手段を、前記駆動状態と、前記電力が遮断される停止状態とに切り替える切替手段と、他の機器を制御する制御信号を受信する受信手段と、前記送受信手段が前記停止状態であって、前記受信手段が前記制御信号を受信した場合、前記切替手段を制御し、前記送受信手段を前記駆動状態に切り替える切替制御手段とを備えることを特徴とする。
【００１０】
また、本発明に係る中継機器は、受信した制御信号を解読する解読手段をさらに備え、前記切替制御手段は、前記送受信手段が前記駆動状態であって、前記解読手段による解読の結果、前記制御信号が前記他の機器の電源をオフにする信号である場合、前記切替手段を制御して、前記送受信手段を前記停止状態に切り替える構成としてあることを特徴とする。
【００１１】
さらに、本発明に係る中継機器は、前記所定の信号の受信が所定時間中断しているか否かを判定する判定手段をさらに備え、前記切替制御手段は、前記判定手段が中断していると判定した場合、前記切替手段を制御して、前記送受信手段を前記停止状態に切り替える構成としてあることを特徴とする。
【００１２】
また、本発明に係る中継機器は、前記所定の信号及び前記制御信号は、ＨＤＭＩ（High−Definition Multimedia Interface）を介して送受信されることを特徴とする。
【００１３】
また、本発明に係る中継機器の制御方法は、電力が供給される駆動状態の場合に、所定の信号を送受信する送受信手段を備え、前記送受信手段を前記電力が遮断された停止状態とした中継機器の制御方法であって、他の機器を制御する制御信号を受信するステップと、前記制御信号を受信した場合、前記送受信手段を前記駆動状態に切り替えるステップとを含むことを特徴とする。
【００１４】
また、本発明に係る中継機器の制御方法は、受信した前記制御信号を解読するステップと、前記送受信手段が前記駆動状態であって、解読した前記制御信号が前記他の機器の電源をオフにする信号である場合、前記送受信手段を前記停止状態に切り替えるステップとをさらに含むことを特徴とする。
【００１５】
さらに、本発明に係る中継機器の制御方法は、前記所定の信号の受信が、所定時間中断しているか否かを判定するステップと、前記送受信手段が前記駆動状態であって、受信が中断していると判定した場合、前記送受信手段を前記停止状態に切り替えるステップとをさらに含むことを特徴とする。
【００１６】
本発明では、所定の信号を送受信する送受信手段が停止状態であって、制御信号を受信した場合、送受信手段が駆動状態となる。そして、送受信手段が駆動状態となった場合に、所定の信号を受信し、送信する。
【００１７】
また、本発明では、送受信手段が駆動状態であって、受信した制御信号が他の機器の電源をオフにする信号である場合、送受信手段が停止状態となる。
【００１８】
さらに、本発明では、送受信手段が駆動状態で、所定の信号の受信が、所定時間中断している場合には、送受信手段が停止状態となる。
【００１９】
また、本発明では、信号を送受信するのにＨＤＭＩ（High−Definition Multimedia Interface）を用いている。
【発明の効果】
【００２０】
本発明により、省電力の目的で、送受信手段を停止状態としていても、自動的に駆動状態となり、所定の信号の送受信が可能となるため、使用時の操作の煩わしさが解消できるという効果を有する。
【００２１】
本発明により、送受信手段が駆動状態において、解読した制御信号が他の機器の電源をオフにする信号である場合、送受信手段が停止状態となるため、省電力が可能となる効果を有する。
【００２２】
本発明により、送受信手段が駆動状態の場合に、所定の信号の受信が所定時間中断していれば、送受信手段が停止状態となるため、省電力が可能となる効果を有する。
【００２３】
本発明により、接続互換性の問題を解消することができるという効果を有する。
【発明を実施するための最良の形態】
【００２４】
（実施形態）
以下、本発明の中継機器を、ＡＶアンプに適用した実施の形態について図面に基づき説明する。
【００２５】
本実施の形態にかかるＡＶアンプ（中継機器）１０は、図１に示すように、ディスプレイ（他の機器）２０及びプレイヤ（他の機器）３０のそれぞれに接続している。そして、これらＡＶアンプ１０、ディスプレイ２０及びプレイヤ３０は、ＡＶシステム１００を構成する。
【００２６】
ＡＶアンプ１０、ディスプレイ２０及びプレイヤ３０は、図示しない主電源スイッチと副電源スイッチとを有している。主電源スイッチは、機器本体に設けられ、外部から、具体的には、家庭用コンセントから電力を供給する際に操作するスイッチである。副電源スイッチは、主電源スイッチがオンの状態で操作が可能となり、機器の操作が可能な状態（以下、アクティブ状態と言う）と、操作が不可能な待機状態（以下、スタンバイ状態と言う）とを切り替えるスイッチである。この副電源スイッチは、機器本体の他に、図示しないリモコンによって切り替えの操作が可能である。このため、各機器をスタンバイ状態としておくことで、各機器の使用時における電源のオン、オフ操作を容易にでき、かつ、不使用時における消費電力を抑えることができる。
【００２７】
また、ＡＶアンプ１０と、ディスプレイ２０及びプレイヤ３０とは、ＨＤＭＩケーブル４０ａ・４０ｂを介して接続されている。ＨＤＭＩケーブルは、映像信号及び音声信号（以下、ＡＶ信号と言う）をデジタルで伝送することができるケーブルである。即ち、ＡＶ信号は、劣化することなく伝送される。このＡＶ信号は、プレイヤ３０がＤＶＤ又はＣＤ（Compact Disk）等の記録媒体から読み出される。また、ＨＤＭＩケーブルは、ＣＥＣ（Consumer Electronics Control）信号（制御信号）の伝送が可能なケーブルである。ＣＥＣ信号は、機器を制御するコマンドシーケンスを含む信号であり、ディスプレイ２０又はプレイヤ３０から出力される。コマンドシーケンスは、図２に示すように、送信先及び送信元の機器情報を示すアドレスコード、並びに送信先の機器に対する制御内容を示すコマンドコードを含んでいる。このＣＥＣ信号により、例えば、ディスプレイ２０から、ＡＶアンプ１０又はプレイヤ３０をスタンバイ状態からアクティブ状態にすることが可能となる。以下の説明において、ＡＶ信号及びＣＥＣ信号を含めてＨＤＭＩ信号と言う。
【００２８】
ＡＶアンプ１０は、ＨＤＭＩ回路１１と、電源回路１２と、スピーカ１４を駆動制御するスピーカ制御回路１３とを有している。ＨＤＭＩ回路１１は、ディスプレイ２０及びプレイヤ３０と接続するＨＤＭＩケーブル４０ａ・４０ｂを接続する接続端子（図示せず）の他に、制御部１１１と、ＣＥＣ信号処理部１１２と、ＨＤＭＩ受信部１１３と、ＨＤＭＩ送信部１１４と、スイッチ（切替手段）１１５とを有している。
【００２９】
制御部１１１は、ＣＰＵ（Central Processing Unit）、ＲＯＭ（Read Only Memory）、及びＲＡＭ（Random Access Memory）等から構成され、ＨＤＩＭ回路１１の動作制御を行う。制御部１１１は、図３のフローチャートに示す処理ルーチンを実行し、ＨＤＭＩ受信部１１３に出力した音声要求信号に対して音声信号を受信する機能、スピーカ駆動回路１３に音声信号を出力する機能、及びスピーカ駆動回路１３を駆動又は停止させる信号を出力する機能等を奏する。かかる制御部１１１は、後述のスイッチ１１５がオンとなり、電源回路１２から電力が供給された場合に図３の処理ルーチンの実行が可能となる。また、後に詳述するが、電源回路１２は、ＡＶアンプ１０がアクティブ状態及びスタンバイ状態の何れでも電力を供給する。
【００３０】
なお、ＡＶアンプ１０におけるアクティブ状態とは、動作可能な制御部１１１がスピーカ駆動回路１３を駆動し、スピーカ１４からの音声出力が可能な状態である。また、スタンバイ状態とは、スピーカ駆動回路１３が停止状態であって、スピーカ１４からの音声出力が不可能な状態である。このスタンバイ状態において、制御部１１１は、動作可能又は動作不可能の何れであってもよい。即ち、制御部１１１は、ＡＶアンプ１０がスタンバイ状態であっても、ＨＤＭＩ回路１１の動作制御が可能である。
【００３１】
ＣＥＣ信号処理部（受信手段）１１２は、制御部１１１と接続しており、ＨＤＭＩ信号のＣＥＣ信号の処理を行う。また、ＣＥＣ信号処理部１１２は、制御部１１１とは別にＣＰＵ、ＲＯＭ、及びＲＡＭ等を有しており、制御部１１１と独立して動作が可能となっている。そして、ＣＥＣ信号処理部１１２は、図４のフローチャートに示す処理ルーチンを実行し、ＣＥＣ信号を送受信する機能、受信したＣＥＣ信号のアドレスコード及びコマンドコードの内容を解読する機能、ＣＥＣ信号の受信が中断されたことを検知する機能、スイッチのオンとオフとを切り替える切替信号をスイッチ１１５に出力する機能、ＡＶアンプ１０をアクティブ状態に切り替えるアクティブ信号を制御部１１１に出力する機能、及び、ＡＶアンプ１０をスタンバイ状態に切り替えるスタンバイ信号を出力する機能等を奏する。かかるＣＥＣ信号処理部１１２は、電源回路１２から常時電力が供給され、図４の処理ルーチンを実行する。即ち、ＣＥＣ信号処理部１１２は、ＡＶアンプ１０がアクティブ状態又はスタンバイ状態の何れであっても動作する。
【００３２】
ＨＤＭＩ受信部１１３は、制御部１１１と接続しており、受信したＨＤＭＩ信号の処理を行う。具体的には、ＨＤＭＩ受信部１１３は、制御部１１１により制御され、プレイヤ３０が出力したＨＤＭＩ信号を受信し、ＨＤＭＩ信号をデコードし映像信号及び音声信号を取り出す。また、制御部１１１から音声要求信号を受信した場合、音声信号を制御部１１１に出力する。なお、制御部１１１に出力された音声信号は、スピーカ１４から出力される。
【００３３】
また、ＨＤＭＩ送信部１１４は、ＨＤＭＩ受信部１１３と接続しており、ＨＤＭＩ受信部１１３から受信した映像信号及び音声信号をＨＤＭＩ信号として、ディスプレイ２０に送信する。ＨＤＭＩ受信部１１３及びＨＤＭＩ送信部１１４は、後述のスイッチ１１５がオンとなり、電源回路１２から電力が供給された場合に動作する。
【００３４】
スイッチ１１５は、電源回路１２から、制御部１１１、ＨＤＭＩ受信部１１３及びＨＤＭＩ送信部１１４に電力を供給する電源ライン（図中点線矢印）の途中に設けられる。そして、ＣＥＣ信号処理部１１２から切替信号を受信する都度、オンオフ制御がなされる。これにより、制御部１１１、ＨＤＭＩ受信部１１３及びＨＤＭＩ送信部１１４は、電力が供給され、動作が可能な状態（駆動状態）と、電力が遮断され、動作が不可能な状態（停止状態）とが存在するようになる。
【００３５】
なお、電源回路１２とＣＥＣ信号処理部１１２とを接続する電源ラインには、スイッチが設けられておらず、ＣＥＣ信号処理部１１２には常時、具体的には、ＡＶアンプ１０がアクティブ状態又はスタンバイ状態の何れの状態においても電力が供給される。従って、ＣＥＣ信号処理部１１２は、副電源スイッチがオン又はオフの何れであっても、動作が可能となる。
【００３６】
電源回路１２は、外部から、具体的には家庭用コンセントから電力が供給され、ＡＶアンプ１０の電源部として機能する。そして、電源回路１２は、ＨＤＭＩ回路１１及びスピーカ駆動回路１３に電力を供給する。かかる電源回路１２は、主電源スイッチがオンの状態であれば電源部として機能し、各回路に電力を供給する。
【００３７】
スピーカ駆動回路１３は、ＨＤＭＩ回路１１と接続し、スピーカ１４を駆動制御する。具体的には、ＨＤＭＩ回路１１から受信した音声信号を増幅してスピーカ１４から音声信号に基づく音声を出力する。また、スピーカ駆動回路１３は、スイッチ１１５と同様のスイッチを有し、ＨＤＭＩ回路１１から受信する信号に応じて、スイッチをオン、オフする。具体的には、スイッチは、ＨＤＭＩ回路１１から、スピーカ駆動信号を受信した場合にオンとなり、スピーカ停止信号を受信した場合にオフとなる。
【００３８】
ディスプレイ２０は、スピーカを備え、ＣＲＴ（Cathode Ray Tube）ディスプレイ又はＬＣＤ（Liquid Crystal Display）等の表示装置である。そして、プレイヤ３０が出力したＡＶ信号に基づいて映像を表示し、スピーカから音声を出力する機能を有する。また、ディスプレイ２０は、プレイヤ３０が出力したＣＥＣ信号を解読して、信号に基づく制御を行い、ＡＶアンプ１０及びプレイヤ３０に対してＣＥＣ信号を送信する機能を奏する。例えば、ユーザは、ディスプレイ２０からＡＶアンプ１０又はプレイヤ３０に対してスタンバイ状態からアクティブ状態に切り替える操作を行うことが可能である。
【００３９】
プレイヤ３０は、ＤＶＤ、ＣＤ、ＬＤ（Laser Disc）等から映像データや音声データを読み取り、ＡＶ信号として出力する再生装置である。また、プレイヤ３０は、ディスプレイ２０と同様に、ディスプレイ２０が出力したＣＥＣ信号を解読して、信号に基づく制御を行い、ＡＶアンプ１０及びディスプレイ２０に対してＣＥＣ信号を送信する機能を奏する。
【００４０】
（処理動作）
次に、ＡＶアンプ１０のＨＤＭＩ回路１１における動作について図３及び図４を参照して説明する。
【００４１】
まず、ＨＤＭＩ回路１１の制御部１１１の動作について説明する。制御部１１１は、電源回路１２から電力が供給された場合、即ち、スイッチ１１５がオンにされた場合に、図３のフローチャートに示す処理ルーチンの実行を開始する。
【００４２】
制御部１１１は、ＣＥＣ信号処理部１１２からアクティブ信号を受信したか否かを判定する（Ｓ１）。かかるアクティブ信号は、ＣＥＣ信号に「アンプ出力コマンド」が含まれている場合にＣＥＣ信号処理部１１２から出力される。「アンプ出力コマンド」とは、スピーカ１５から音声信号を出力させるコマンドである。アクティブ信号を受信していない場合（Ｓ１：ＮＯ）、制御部１１１は、受信するまで待機する。
【００４３】
アクティブ信号を受信した場合（Ｓ１：ＹＥＳ）、制御部１１１は、スピーカ駆動回路１３にスピーカ駆動信号を出力する（Ｓ２）。これにより、スピーカ駆動回路１３のスイッチがオンになり、スピーカ１４からの音声出力が可能となる。即ち、ＡＶアンプ１０はアクティブ状態となる。次に、制御部１１１は、音声要求信号をＨＤＭＩ受信部１１３に出力する（Ｓ３）。そして、制御部１１１は、ＨＤＭＩ受信部１１３から音声信号を受信したか否かを判定する（Ｓ４）。ＨＤＭＩ受信部１１３から音声信号を受信していない場合（Ｓ４：ＮＯ）、制御部１１１は、音声信号を受信するまで待機する。音声信号を受信した場合（Ｓ４：ＹＥＳ）、制御部１１１は、受信した音声信号をスピーカ駆動回路１３に送信する（Ｓ５）。スピーカ駆動回路１３に送信された音声信号は、スピーカ１４から出力される。
【００４４】
続いて、制御部１１１は、ＣＥＣ信号処理部１１２からスタンバイ信号を受信したか否かを判定する（Ｓ６）。かかるスタンバイ信号は、ＡＶアンプ１０がアクティブ状態で、受信したＣＥＣ信号に「スタンバイコマンド」が含まれている場合にＣＥＣ信号処理部１１２から出力される。また、「スタンバイコマンド」とは、ＣＥＣ信号のコマンドシーケンスに含まれ、各機器をスタンバイ状態にするコマンドである。即ち、ＣＥＣ信号が「スタンバイコマンド」を含む場合、そのＣＥＣ信号をアクティブ状態で受信した各機器は、強制的にスタンバイ状態となる。
【００４５】
スタンバイ信号を受信していない場合（Ｓ６：ＮＯ）、制御部１１１は、処理をＳ４に戻す。即ち、ＡＶアンプ１０は、アクティブ状態を維持する。一方、スタンバイ信号を受信した場合（Ｓ６：ＹＥＳ）、制御部１１１は、スピーカ駆動回路１３にスピーカ停止信号を出力する（Ｓ７）。これにより、ＡＶアンプ１０はスタンバイ状態となる。そして、処理をＳ１に戻す。
【００４６】
なお、本ルーチンは、電源回路１２からの電力が遮断された場合、即ち、スイッチ１１５がオフとなった場合に終了する。
【００４７】
次に、ＣＥＣ信号処理部１１２の処理動作について図４を参照して説明する。ＣＥＣ信号処理部１１２は、まず、ＣＥＣ信号を受信したか否かを判定する（Ｓ１０）。ＣＥＣ信号を受信していない場合（Ｓ１０：ＮＯ）、ＣＥＣ信号処理部１１２は、ＣＥＣ信号を受信するまで待機する。ＣＥＣ信号を受信した場合（Ｓ１０：ＹＥＳ）、ＣＥＣ信号処理部１１２は、続いて、ＣＥＣ信号に「スタンバイコマンド」が含まれているか否かを判定する（Ｓ１１）。
【００４８】
ＣＥＣ信号に「スタンバイコマンド」が含まれている場合（Ｓ１１：ＹＥＳ）、ＣＥＣ信号処理部１１２は、Ｓ１０に処理を戻す。ＣＥＣ信号に「スタンバイコマンド」が含まれていない場合（Ｓ１１：ＮＯ）、ＣＥＣ信号処理部１１２は、スイッチ１１５に切替信号を出力する（Ｓ１２）。これにより、制御部１１１、ＨＤＭＩ受信部１１３及びＨＤＭＩ送信部１１４に電源回路１２から電力が供給され、ＡＶ信号の送受信が可能となる。この状態において、ＨＤＭＩ回路１１は、ＡＶアンプ１０がスタンバイ状態又はアクティブ状態に拘らず、ＡＶ信号の送受信が可能となる。
【００４９】
次に、ＣＥＣ信号処理部１１２は、ＣＥＣ信号に「アンプ出力コマンド」が含まれているか否かを判定する（Ｓ１３）。ＣＥＣ信号に「アンプ出力コマンド」が含まれる場合（Ｓ１３：ＹＥＳ）、ＣＥＣ信号処理部１１２は、処理をＳ１７に移す。また、ＣＥＣ信号に「アンプ出力コマンド」が含まれない場合（Ｓ１３：ＮＯ）、ＣＥＣ信号処理部１１２は、再び、ＣＥＣ信号を受信したか否かを判定する（Ｓ１４）。
【００５０】
ＣＥＣ信号を受信していない場合（Ｓ１４：ＮＯ）、ＣＥＣ信号処理部１１２は、ＣＥＣ信号を受信しなくなってから所定時間経過したか否かを判定する（Ｓ２１）。所定時間は特に限定することなく、適宜変更が可能である。所定時間経過していない場合（Ｓ２１：ＮＯ）、ＣＥＣ信号処理部１１２は、Ｓ１４に処理を戻す。所定時間経過した場合（Ｓ２１：ＹＥＳ）、ＣＥＣ信号処理部１１２は、スイッチ１１５に切替信号を出力する（Ｓ２２）。これにより、電源回路１２から制御部１１１、ＨＤＭＩ受信部１１３及びＨＤＭＩ送信部１１４への電力が遮断される。即ち、ＣＥＣ信号処理部１１２が、所定時間、ＣＥＣ信号を受信していない場合、ＣＥＣ信号処理部１１２は、ディスプレイ２０及びプレイヤ３０の使用が中断されたと判断し、制御部１１１、ＨＤＭＩ受信部１１３及びＨＤＭＩ送信部１１４への電力を遮断することで、無駄な消費電力を少なくできる。
【００５１】
Ｓ１４において、ＣＥＣ信号を受信した場合（Ｓ１４：ＹＥＳ）、ＣＥＣ信号処理部１１２は、続いて、ＣＥＣ信号に「スタンバイコマンド」が含まれているか否かを判定する（Ｓ１５）。ＣＥＣ信号に「スタンバイコマンド」が含まれている場合（Ｓ１５：ＹＥＳ）、ＣＥＣ信号処理部１１２は、スイッチ１１５に切替信号を出力する（Ｓ２２）。これにより、電源回路１２から制御部１１１、ＨＤＭＩ受信部１１３及びＨＤＭＩ送信部１１４への電力が遮断されるようになり、制御部１１１は動作が不可能となる。即ち、ＨＤＭＩ回路１１は、ＡＶ信号の送受信が不可となる。
【００５２】
一方、Ｓ１５において、ＣＥＣ信号に「スタンバイコマンド」が含まれていない場合（Ｓ１５：ＮＯ）、ＣＥＣ信号処理部１１２は、続いて、ＣＥＣ信号に「アンプ出力コマンド」が含まれているか否かを判定する（Ｓ１６）。ＣＥＣ信号に「アンプ出力コマンド」が含まれていない場合（Ｓ１６：ＮＯ）、ＣＥＣ信号処理部１１２は、Ｓ１４に処理を戻す。ＣＥＣ信号に「アンプ出力コマンド」が含まれている場合（Ｓ１６：ＹＥＳ）、ＣＥＣ信号処理部１１２は、処理をＳ１７に移す。
【００５３】
Ｓ１７において、ＣＥＣ信号処理部１１２は、アクティブ信号を制御部１１１に送信する。これにより、ＡＶアンプ１０はアクティブ状態となり、スピーカ１５から音声信号の出力が可能となる。
【００５４】
次に、ＣＥＣ信号処理部１１２は、ＣＥＣ信号を受信したか否かを判定する（Ｓ１８）。ＣＥＣ信号を受信していない場合（Ｓ１８：ＮＯ）、ＣＥＣ信号処理部１１２は、受信するまで待機する。ＣＥＣ信号を受信した場合（Ｓ１８：ＹＥＳ）、続いて、ＣＥＣ信号処理部１１２は、ＣＥＣ信号に「スタンバイコマンド」が含まれているか否かを判定する（Ｓ１９）。ＣＥＣ信号に「スタンバイコマンド」が含まれていない場合（Ｓ１９：ＮＯ）、ＣＥＣ信号処理部１１２は、処理をＳ１８に戻す。即ち、ＡＶアンプ１０はアクティブ状態を維持する。ＣＥＣ信号に「スタンバイコマンド」が含まれている場合（Ｓ１９：ＹＥＳ）、ＣＥＣ信号処理部１１２は、制御部１１１にスタンバイ信号を出力すると共に、スイッチ１１５に切替信号を出力する（Ｓ２０）。これにより、電源回路１２から制御部１１１、ＨＤＭＩ受信部１１３及びＨＤＭＩ送信部１１４への電力が遮断されるようになり、ＨＤＭＩ回路１１の動作が不可能となる。そして、ＣＥＣ信号処理部１１２は、Ｓ１０に処理を戻す。
【００５５】
以上説明したように、ＡＶアンプ１０は、ＨＤＭＩ回路１１のＨＤＭＩ回路１のＨＤＭＩ受信部１１３及びＨＤＭＩ送信部１１４への電力が遮断された状態でＣＥＣ信号を受信した場合、ＨＤＭＩ受信部１１３及びＨＤＭＩ送信部１１４に電力が供給されるようになっている。そして、ＡＶ信号の送受信ができるようになっている。これにより、省電力の目的で、ＡＶアンプ１０をスタンバイ状態としている場合であっても、自動的にＨＤＭＩ受信部１１３及びＨＤＭＩ送信部１１４に電力が供給され、ＡＶ信号の送受信が可能となるため、操作の煩わしさが解消する。
【００５６】
また、受信したＣＥＣ信号がスタンバイコマンドを含む場合、ＨＤＭＩ受信部１１３及びＨＤＭＩ送信部１１４に供給する電力を遮断するようになっている。これにより、省電力が可能となる。
【００５７】
さらに、受信するＡＶ信号が所定時間中断している場合には、ＨＤＭＩ受信部１１３及びＨＤＭＩ送信部１１４に供給する電力を遮断するようになっている。これにより、省電力が可能となる。また、ＨＤＭＩを用いることで、機器接続互換性の問題を解消するようになっている。
【００５８】
なお、本実施の形態では、映像信号及び音声信号は、プレイヤ３０からディスプレイ２０に送信される信号としているが、音声信号がディスプレイ２０からＡＶアンプ１０に送信される信号であってもよい。ここにおいて、ディスプレイ２０がテレビ受信機である場合、ＡＶアンプ１０の電源のオンオフ操作を行うことなく、テレビ音声をＡＶアンプ１０のスピーカ１５から出力できるようになる。また、本実施の形態では、ＣＥＣ信号は、ディスプレイ２０及びプレイヤ３０から出力される信号としているが、ＡＶアンプ１０から出力される構成であってもよい。
【００５９】
また、ＨＤＭＩ回路１１は、映像信号及び音声信号を送受信するようにしているが、何れか一方の信号のみ送受信するようにしてもよいし、別のデータ信号を送受信するものであってもよい。また、ＡＶアンプ１０は、スピーカを別に備え、スピーカに対して音声信号を出力する構成であってもよい。さらに、映像信号又は音声信号を出力する機器は、ＤＶＤ又はＣＤ専用のプレイヤ以外に、ＤＶＤレコーダ、ＳＡＣＤ（Super Audio CD）プレイヤ、Ｄ−ＶＨＳ（Data-Video Home System）、次世代ゲーム機等であってもよい。さらに、本実施の形態は、ＨＤＭＩ信号の入出力機能を備えた中継機器として説明しているが、それ以外の中継機器であってもよい。
【００６０】
以上、本発明の好適な一実施の形態について、具体的に説明したが、各構成及び各処理動作等は適宜変更可能であって、上述の実施の形態に限定されることはない。
【図面の簡単な説明】
【００６１】
【図１】本実施の形態にかかるＡＶアンプの電気的構成を示すブロック図である。
【図２】ＣＥＣ信号のコマンドシーケンスを示す図である。
【図３】図１のＨＤＭＩ制御部が実行する処理ルーチンのフローチャートである。
【図４】図１のＣＥＣ信号処理部が実行する処理ルーチンのフローチャートである。
【符号の説明】
【００６２】
１０  ＡＶアンプ
１１  ＨＤＭＩ回路
１２  電源回路
１１１  制御部
１１２  ＣＥＣ信号処理部
１１３  ＨＤＭＩ受信部
１１４  ＨＤＭＩ送信部
１１５  スイッチ
【図１】
2008283469.tif 000003
【図２】
2008283469.tif 000004
【図３】
2008283469.tif 000005
【図４】
2008283469.tif 000006